(57)【要約】【課題】プラント監視制御装置側とモバイル端末側とでデータの不一致か生じることのないプラント監視制御方法およびシステムを提供すること。【解決手段】モバイル端末１１にてプラント１２のデータ一覧要求を行なうと、無線を介してヒューマンインタフェース１５のデータ検索手段２２を動作させ、そのデータ検索結果を無線によりモバイル端末１１に送り、モバイル端末１１にてヒューマンインタフェース１５と共通のデータ一覧を行なうので、データの一致性を確保できる。また、モバイル端末１１にて、一覧されたデータから所望のデータの読出し要求または書き込み要求を行なうと、無線によりヒューマンインタフェース１５のデータアクセス処理手段２５を動作させ、これらの要求に対する処理結果を無線によりモバイル端末１１に送り、モバイル端末１１に表示させるので、モバイル端末１１側での操作も確実に行なうことができる。【選択図】  図３
2004157824.tif 000002
【特許請求の範囲】
【請求項１】
プラントの各種データを収集するコントローラと、このコントローラが保持するデータを表示可能に管理するヒューマンインタフェースと、このヒューマンインタフェースと無線によりデータ授受を行なうモバイル端末とでプラントを監視制御する方法であって、
モバイル端末にてプラントのデータ一覧要求を行なうと、無線を介してヒューマンインタフェースのデータ検索手段を動作させ、そのデータ検索結果を無線によりモバイル端末に送り、モバイル端末にてヒューマンインタフェースと共通のデータ一覧を行ない、
モバイル端末にて、所望のデータの読出し要求または書き込み要求を行なうと、無線によりヒューマンインタフェースのデータアクセス処理手段を動作させ、これらの要求に対する処理結果を無線によりモバイル端末に送り、モバイル端末に表示させる
ことを特徴とするプラント監視制御方法。
【請求項２】
プラントの各種データを収集するコントローラと、このコントローラが保持するデータを表示可能に管理するヒューマンインタフェースと、このヒューマンインタフェースと無線によりデータ授受を行なうモバイル端末とを備えたプラント監視制御システムであって、
前記モバイル端末は、
前記プラントデータの一覧要求、所望データの読出し要求及び書き込み要求を入力可能な画面表示処理手段と、
この画面表示処理手段からプラントデータの一覧要求、所望データの読出し要求又は書き込み要求が入力されると、これらの要求をヒューマンインタフェースに送信し、それらの処理結果がヒューマンインタフェースから送信されてくると、その処理結果を画面表示処理手段に出力するネットワーク処理手段とを備え、
前記ヒューマンインタフェースは、
前記コントローラが保持しているデータを検索するデータ検索処理手段と、
所望のデータに対する読み出し又は書き込みを行なうデータアクセス手段と、
前記モバイル端末からプラントデータの一覧要求があると前記データ検索処理手段を動作させ、その検索結果をモバイル端末に送信し、また、前記モバイル端末から前記所望データの読出し要求または書き込み要求があると、これらの要求を前記データアクセス処理手段に実行させ、それらの処理結果をモバイル端末に送信するモバイル端末要求処理手段とを備えた
ことを特徴とするプラント監視制御システム。
【請求項３】
プラントのデータは、複数の監視グループに分けられており、モバイル端末では、任意の監視グループを指定して、その監視グループに割り付けられているデータの一覧要求を行うように構成されていることを特徴とする請求項２に記載のプラント監視制御システム。
【請求項４】
モバイル端末は、プラントのデータに対する操作レベルが指定可能で、操作レベルには許可される操作が予め割り付けられており、データアクセス処理手段に対し、指定された操作レベルに対応する操作のみを許可するように構成したことを特徴とする請求項２に記載のプラント監視制御システム。
【請求項５】
モバイル端末からプラントのデータへの操作が行なわれた場合、その操作履歴を記録する操作履歴データベースを設けたことを特徴とする請求項２に記載のプラント監視制御システム。
【請求項６】
モバイル端末に、ヒューマンインタフェースとの無線によるデータ授受を行なっている際の通信品質を表示する表示手段を設けたことを特徴とする請求項２に記載のプラント監視制御システム。
【請求項７】
モバイル端末に対するゲートウエイとして機能するヒューマンインタフェースを複数設け、モバイル端末は複数のヒューマンインタフェースと無線により選択接続可能とし、ゲートウエイダウン時のバックアップを可能としたことを特徴とする請求項２に記載のプラント監視制御システム。
【発明の詳細な説明】
【０００１】
【発明の属する技術分野】
本発明は、コントローラと、このコントローラが保持するデータを表示可能に管理するヒューマンインタフェースと、このヒューマンインタフェースと無線によりデータ授受を行なうモバイル端末とでプラントを監視制御する方法及びシステムに関する。
【０００２】
【従来の技術】
上下水道設備のようなプラントを監視制御するものとして、中央にプラントからの情報を収集すると共に予め設定されたプログラムによってプラントを制御する監視制御装置を設け、現場には携帯端末を携行し、中央の監視制御装置とデータ授受を行ないながら点検調整を行なうシステムが提案されている（例えば、特許文献１及び特許文献２参照）。
ところで、最近のプラント監視制御システムでは、プラントのデータを収集し制御するコントローラ及び、このコントローラが保持するデータを表示可能に管理するヒューマンインタフェースを有するプラント監視制御装置と、このプラント監視制御装置と無線によりデータ授受を行なうモバイル端末とによりプラントを監視制御するものがある。
このようなシステムでは、監視用のヒューマンインタフェースは中央操作室などに設置され、プラント全体の監視制御を実施している。
このようなプラント監視制御システムにおいて、現場でプラントのメンテナンス業務を行う場合には、中央操作室に設けたヒューマンインタフェースと無線により接続されたモバイル端末を使用して、現場でプラントのデータを示すタグを表示し、このタグに対して操作を実施し、メンテナンス業務を実施している。
プラントのデータを示すタグはプラント監視制御装置に設定されており、このタグをモバイル端末上に表示する場合、プラント監視制御装置上にあるどのタグを表示するかを指定する必要がある。すなわち、モバイル端末上に予め表示するタグの一覧を設定し、そこから選択して表示することになる。
【０００３】
【特許文献１】
特開平１１−２７５１１１号公報
【特許文献２】
特開平１１−２８２５２３号公報
【０００４】
【発明が解決しようとする課題】
このようなシステムにおいて、プラント監視制御装置側でタグの追加、削除が実施されると、モバイル端末側のタグ一覧情報も修正する必要がある。この修正が確実に行なわれないと、データの不一致を発生させるので、データの一致性を確保するうえで問題がある。
また、モバイル端末にてタグを操作する場合、機器の重要性などからモバイル端末からの操作を許可とするか、禁止とするかを設定する必要がある。このような操作許可、禁止の設定はモバイル端末内で行うが、同様にプラント監視制御装置側でタグの追加、削除が実施されると、モバイル端末側のタグ操作許可禁止設定情報も修正する必要があり、データの不一致を発生させる問題がある。
さらに、プラント監視制御装置内のヒューマンインタフェース上でタグを操作した場合、プラント監視制御装置内にあるデータベースに操作履歴を保存している。この操作履歴は、いつどこで操作したかを後にチェックするのに使用される。同様にモバイル端末でのタグに対する操作も、操作履歴用データベースに保存する必要がある。
また、モバイル端末は、無線にてプラント監視制御装置と接続されデータの表示、設定を行うが、無線である為、モバイル端末の位置などにより通信状態が大きく左右される。したがって、表示しているデータの確かさをモバイル端末操作者に判断させる必要がある。
【０００５】
また、モバイル端末は、プラント監視制御装置のデータを表示し、操作可能とするために、プラント監視制御装置内に設置されたゲートウェイ経由でデータのやり取りを実施している。しかし、ゲートウェイがダウンした時にはモバイル端末が使用不能となってしまう為、ゲートウェイをバックアップする機能が必要となる。
【０００６】
本発明の目的は、プラント監視制御装置側とモバイル側とでデータの不一致か生じることのないプラント監視制御方法およびプラント監視制御システムを提供することにある。
【０００７】
また、モバイル端末側でのデータに対する操作も操作履歴用データベースに保存できると共に、通信状態の確かさを表示でき、さらにゲートウエイダウン時のバックアップも可能としたプラント監視制御方法及びシステムを提供することにもある。
【０００８】
【課題を解決するための手段】
本発明によるプラント監視制御方法は、プラントの各種データを収集するコントローラと、このコントローラが保持するデータを表示可能に管理するヒューマンインタフェースと、このヒューマンインタフェースと無線によりデータ授受を行なうモバイル端末とでプラントを監視制御する方法であって、モバイル端末にてプラントのデータ一覧要求を行なうと、無線を介してヒューマンインタフェースのデータ検索手段を動作させ、そのデータ検索結果を無線によりモバイル端末に送り、モバイル端末にてヒューマンインタフェースと共通のデータ一覧を行ない、モバイル端末にて、所望のデータの読出し要求または書き込み要求を行なうと、無線によりヒューマンインタフェースのデータアクセス処理手段を動作させ、これらの要求に対する処理結果を無線によりモバイル端末に送り、モバイル端末に表示させることを特徴とする。
【０００９】
本発明によるプラント監視制御システムは、プラントの各種データを収集するコントローラと、このコントローラが保持するデータを表示可能に管理するヒューマンインタフェースと、このヒューマンインタフェースと無線によりデータ授受を行なうモバイル端末とを備えており、前記モバイル端末は、前記プラントデータの一覧要求、所望データの読出し要求及び書き込み要求を入力可能な画面表示処理手段と、この画面表示処理手段からプラントデータの一覧要求、所望データの読出し要求又は書き込み要求が入力されると、これらの要求をヒューマンインタフェースに送信し、それらの処理結果がヒューマンインタフェースから送信されてくると、その処理結果を画面表示処理手段に出力するネットワーク処理手段とを備えており、前記ヒューマンインタフェースは、前記コントローラが保持しているデータを検索するデータ検索処理手段と、所望のデータに対する読み出し又は書き込みを行なうデータアクセス手段と、前記モバイル端末からプラントデータの一覧要求があると前記データ検索処理手段を動作させ、その検索結果をモバイル端末に送信し、また、前記モバイル端末から前記所望データの読出し要求または書き込み要求があると、これらの要求を前記データアクセス処理手段に実行させ、それらの処理結果をモバイル端末に送信するモバイル端末要求処理手段とを備えたことを特徴とする。
【００１０】
また、本発明では、プラントのデータは、複数の監視グループに分けられており、モバイル端末では、任意の監視グループを指定して、その監視グループに割り付けられているデータの一覧要求を行うように構成してもよい。
【００１１】
また、本発明では、モバイル端末は、プラントのデータに対する操作レベルが指定可能で、操作レベルには許可される操作が予め割り付けられており、データアクセス処理手段に対し、指定された操作レベルに対応する操作のみを許可するように構成してもよい。
【００１２】
また、本発明では、モバイル端末からプラントのデータへの操作が行なわれた場合、その操作履歴を記録する操作履歴データベースを設けてもよい。
【００１３】
また、本発明では、モバイル端末に、ヒューマンインタフェースとの無線によるデータ授受を行なっている際の通信品質を表示する表示手段を設けてもよい。
【００１４】
また、本発明では、モバイル端末に対するゲートウエイとして機能するヒューマンインタフェースを複数設け、モバイル端末は複数のヒューマンインタフェースと無線により選択接続可能とし、ゲートウエイダウン時のバックアップを可能としてもよい。
【００１５】
これらの発明では、モバイル端末にてプラントのデータ一覧要求を行なうと、無線を介してヒューマンインタフェースのデータ検索手段を動作させ、そのデータ検索結果を無線によりモバイル端末に送り、モバイル端末にてヒューマンインタフェースと共通のデータ一覧を行なうので、データの一致性を確保できる。また、モバイル端末にて、一覧されたデータから所望のデータの読出し要求または書き込み要求を行なうと、無線によりヒューマンインタフェースのデータアクセス処理手段を動作させ、これらの要求に対する処理結果を無線によりモバイル端末に送り、モバイル端末に表示させるので、モバイル端末側での操作も確実に行なうことができる。
【００１６】
【発明の実施の形態】
以下、本発明によるプラント監視制御方法及びプラント監視制御システムの一実施の形態を図面を参照して説明する。
【００１７】
図１は、モバイル端末１１を含むプラント監視制御システムを示したシステム構成例を示している。このプラント監視制御システムは、モバイル端末１１と、プラント１２を直接的に監視制御するプラント監視制御装置１３とで構成される。
【００１８】
プラント監視制御装置１３は、プラント１２のデータを収集し制御するコントローラ１４と、そのデータを表示可能な状態で管理するヒューマンインタフェース１５とを有する。また、このプラント監視制御装置１３は、無線基地局１６を介してモバイル端末１１と無線（無線ＬＡＮ）により接続可能に構成されている。
【００１９】
ヒューマンインタフェース１５はコントローラ１４内のデータをタグとして管理し、タグ単位での表示を行う。モバイル端末１１は、ヒューマンインタフェース１５、コントローラ１４が接続されているＬＡＮとは別に、前述した無線用のＬＡＮを設置し、無線基地局１６とデータ通信を行う。このため、ヒューマンインタフェースが管理しているタグのデータ表示をモバイル端末１１上で行うことができる。また、このヒューマンインタフェース１５は、モバイル端末１１に対してゲートウエイとしても機能する。
【００２０】
図２及び図３は、この実施の形態で実行される機能説明用のブロック図である。
【００２１】
図２は、ヒューマンインタフェース１５単体での画面表示処理の機能ブロック図である。画面表示処理手段２１は、各種のデータ処理機能を入力でき、かつその処理結果を表示させる機能を有する。データ検索処理手段２２は、ネットワーク処理手段２３を介してコントローラ１４内に設定されているプラントの各種データをタグ単位で検索する。そして、画面表示処理手段２１によって、データ検索処理要求が入力されると、上記データ検索処理を実行し、検索結果は一覧の形で抽出して、画面表示処理手段２１に出力する。
【００２２】
データアクセス手段２５は、ネットワーク処理手段２３を介して、特定されたデータに対する読出（Ｒｅａｄ）処理２５ａまたは書き込み（Ｗｒｉｔｅ）処理２５ｂを行なう。すなわち、上述のように検索され、一覧されたデータ（以下タグとして説明する）に基づき、画面表示処理手段２１から所望のタグに対する読み出し又は書き込み処理要求が入力された場合、前記Ｒｅａｄ処理２５ａを利用してタグデータの取得を行い表示を行う。また、タグデータの書込み要求が入力された場合は、前記Ｗｒｉｔｅ処理２５ｂを利用してタグデータの書込みを行う。
【００２３】
このＷｒｉｔｅ処理２５ｂにより、タグに対するデータ書込みを行なった場合、その履歴を保存しておく必要がある。このため、操作履歴格納手段２６を設け、操作履歴（データ書込みを実施したこと）を、ディスク２７内の操作履歴データベースへ保存する。この保存された操作履歴は、画面表示処理手段２１による読出し指示により操作履歴読出し手段２８によって読み出され、表示される。
【００２４】
ディスク２７には操作履歴データベースの他に、操作レベル情報と監視グループ情報が格納されている。データアクセス処理手段２５は、前記Ｗｒｉｔｅ処理２５ｂを行なう場合、読出し手段２９によって操作レベル情報をディスク２７から読み出し、現在ログインしているユーザの操作レベルとの比較を行い、書込み処理が行えるレベルである時のみＷｒｉｔｅ処理２５ｂを実施する。また、データ検索処理手段２２は、前述したタグ検索を行なうとき、読出し手段２９によって警報監視グループ情報をディスク２７から読み出し、設定された警報監視グループ内でのタグ検索処理のみを実施する。
図３は、モバイル端末１１によりプラントのデータを監視制御する場合の機能と、モバイル端末１１側の要求を処理するヒューマンインタフェース１５の機能をブロック図として表現している。ヒューマンインタフェース１５では、図２で示した画面表示処理手段２１が、モバイル端末要求処理手段３１に置きかえられただけの機能構成となる。すなわち、データ検索処理手段２２、データアクセス処理手段２３は、図２において画面表示処理手段２１からの要求と同じ処理をモバイル端末要求処理手段３１から受け付け実行する。
モバイル端末１１側は、モバイル端末１１上の画面表示処理手段３４にてプラントのデータ（タグ）検索処理要求３５が入力されると、その要求はネットワーク処理部３６を通してヒューマンインタフェース１５に伝えられる。
ヒューマンインタフェース１５では、この要求をネットワーク処理手段３３で受け、モバイル端末処理手段３１に伝える。そして、このモバイル端末処理装置３１からの指示により、データ検索処理手段２２を動作させ、実行させる。この検索結果は、前述と反対の経路を採ってモバイル端末１１に返され、検索結果が画面表示処理手段３４によってモバイル端末１１上に一覧表示される。
同様に、モバイル端末１１の画面表示処理手段３４により、タグデータの読出し表示要求３７ａ、又はタグデータ書込み要求３７ｂが入力された場合は、それらの要求はネットワーク処理部３６を通してヒューマンインタフェース１５に伝えられる。
ヒューマンインタフェース１５では、この要求をネットワーク処理手段３３で受け、モバイル端末処理手段３１に伝える。そして、このモバイル端末処理装置３１からの指示により、データアクセス処理手段２５のＲｅａｄ処理２５ａまたはＷｒｉｔｅ処理２５ｂを実行させる。これらの処理結果は、前述と反対の経路を採ってモバイル端末１１に返され、処理結果が画面表示処理手段３４によってモバイル端末１１上に表示される。すなわち、モバイル端末１１上でのタグデータの表示、書込み処理が完了する。
モバイル端末１１のネットワーク処理手段３６の機能をまとめると、画面表示処理手段３４からプラントデータ（タグ）の一覧要求（検索処理要求）や、所望データの読出し要求又は書き込み要求が入力されると、これらの要求をヒューマンインタフェース１５に送信する。そして、それらの処理結果がヒューマンインタフェース１５から送信されてくると、その処理結果を画面表示処理手段３４に出力する。
また、ヒューマンインタフェース１５のモバイル端末要求処理手段３１の機能をまとめると、モバイル端末１１からプラントデータの一覧要求があると前記データ検索処理手段２２を動作させ、その検索結果をモバイル端末１１に送信する。また、モバイル端末１１から所望データの読出し要求または書き込み要求があると、これらの要求をデータアクセス処理手段２５に実行させ、それらの処理結果をモバイル端末１１に送信する。
【００２５】
ここで、モバイル端末１１からの要求により、ヒューマンインタフェース１５のＷｒｉｔｅ処理２５ｂを動作させ、タグに対するデータ書込みを行なった場合も、その履歴を保存しておく必要がある。このため、操作履歴格納手段２６により、操作履歴（データ書込みを実施したこと）を、ディスク２７内の操作履歴データベースへ保存する。
【００２６】
また、モバイル端末１１からの要求により、Ｗｒｉｔｅ処理２５ｂを行なう場合も、読出し手段２９によって操作レベル情報をディスク２７から読み出し、モバイル端末１１からログインしているユーザの操作レベルとの比較を行う。そして、ユーザの操作レベルが書込み処理を行えるレベルである時のみＷｒｉｔｅ処理２５ｂを実施する。同様に、モバイル端末１１からの要求により、データ検索処理手段２２でタグ検索を行なうとき、モバイル端末１１側で指定した警報監視グループ情報を、読出し手段２９によってディスク２７から読み出し、指定した警報監視グループ内でのタグ検索処理を実施する。
上記構成において、図１で示したように、モバイル端末１１は、プラント監視制御装置１３システムと無線（無線ＬＡＮ）により接続されている。すなわち、無線ＬＡＮを使用し、プラント監視制御装置１３とデータの送受信を実施し、モバイル端末１１上でのタグデータの一覧表示やデータ設定を可能とする。
モバイル端末１１は、表示領域の小さいヒューマンインタフェース１５として位置付けることができる。このため、無線ＬＡＮを使用したモバイル端末１１は、プラント監視制御装置１３のヒューマンインタフェース１５と通信をおこない、データの表示、操作を行う。
プラント監視制御装置１３は、プラント１２のデータを収集し制御するコントローラ１４と、このコントローラ１４のデータを表示可能に管理するヒューマンインタフェース１５とで構成されている。また、プラント１２のデータは意味のあるデータをまとめタグとして管理を行っている。例えば、水道プラントの場合、池の水位の上限値、下限値、実測水位などのデータを、ＩＤをつけたタグ単位で管理している。
ヒューマンインタフェース１５は、タグ単位でのデータ表示、データ設定を行う。また、ヒューマンインタフェース１５は、そのデータ検索処理手段２２によりシステム内にあるすべてのタグを検索し表示することができる。このため、モバイル端末１１上でタグを検索し一覧表示する場合は、モバイル端末１１からタグ検索要求を無線ＬＡＮを通してヒューマンインタフェース１５に通知し、ヒューマンインタフェース１５のデータ検索処理手段２２を動作させればよい。
データ検索処理手段２２はタグ検索要求を受け付けるとタグ検索処理を実施し、システム内のすべてのタグを抽出する。この検索結果は無線ＬＡＮを通してモバイル端末１１へ通知される。モバイル端末１１は、タグ検索結果を得てタグ名称を一覧表示（リスト表示）する。
モバイル端末１１では、タグ名称リストから表示対象となる所望のタグを選択する。選択されたタグのデータ値の取得（読み出し）要求を再度ヒューマンインタフェース１５に通知する。ヒューマンインタフェース１５では通知されたタグのデータをコントローラ１４から取得し（読み出し）、モバイル端末１１へデータを返す。モバイル端末１１は、ヒューマンインタフェース１５から得たタグデータを表示し、タグの監視を行なう。
また、モバイル端末１１からの所望のタグデータを設定する場合は、同様にヒューマンインタフェース１５経由でタグへのデータ書込みを実施する。
一般に、プラントが大規模になると、監視対象が多くなりその選択が難しくなる。そこで、ヒューマンインタフェース１５に、監視する対象を選択できるようにしておく。すなわち、タグ情報に、タグが属する監視グループ番号を設定し、ヒューマンインタフェース１５で監視するタグの監視グループ番号を指定し、その対象となる監視グループ番号を持つタグのみの監視を行う。タグ検索機能においても、ヒューマンインタフェース１５が指定している監視グループ番号に属するタグのみが検索される。
モバイル端末１１から実施されるタグ検索要求においても、モバイル端末１１側にて警報監視グループ番号を指定する。警報監視グループ番号を指定することにより、そのグループ内でのタグ検索をヒューマンインタフェース１５で実施させ、その結果をモバイル端末１１に返すことでモバイル端末１１上でのタグの絞り込みを可能とする。
プラントの監視制御に当っては、タグへの操作（データの書込み）に対するセキュリティの為に操作レベルを設定することがある。この場合、本システムでは、ヒューマンインタフェース１５にこの操作レベルを設定している。操作レベルは複数段階設定し、段階によってタグへのデータ書込みが制限される。
この操作レベルは、ヒューマンインタフェース１５のログインユーザ毎に設定する。例えば、Ａユーザでログインしている場合は、タグの設定値のみの変更を許可、Ｂユーザでログインしている場合は、タグの設定値、およびパラメータの変更も許可といった具合である。
モバイル端末１１からタグへの書込を行なう場合は、ヒューマンインタフェース１５の１ユーザを、モバイル端末１１のユーザとして割り付けておく。このモバイル端末１１へのユーザ割付により、モバイル端末１１からの操作レベルを設定することが出来る。
また、ヒューマンインタフェース１５は、タグへの操作（データの書込み）を行なった場合、その操作履歴をヒューマンインタフェース１５のディスク２７内に設けられた操作履歴データベースに記録している。すなわち、タグへの操作を実行した事実を、操作を行なったヒューマンインタフェース名、ログインユーザ名と共に記録する。
この操作履歴データベースの内容は、ヒューマンインタフェース１５にて表示可能となっており、いつどこのヒューマンインタフェースのどのユーザで設定操作を実行したかを確認できる。
モバイル端末１１からのタグへの書込み操作時には、前述のようにモバイル端末１１を１ユーザとして割り付けたことにより、モバイル端末１１から書込み処理を行った場合、その履歴が操作履歴データベースに記録される。したがって、モバイル端末１１からのタグ操作の実行が記録され、このデータ設定操作の記録を後で確認することができる。
モバイル端末１１は無線ＬＡＮを使用してヒューマンインタフェース１５と通信しながらタグのデータ表示、設定動作を実施している。無線であるため、モバイル端末１１の位置などにより通信状態が大きく左右され、表示しているデータの確かさをモバイル端末１１操作者に判断させる必要がある。
ここで、タグデータ表示時には、データを定期的にヒューマンインタフェース１５から取得し表示を更新している。そこで、モバイル端末１１からヒューマンインタフェース１５へデータの取得要求を行う毎に画面上の一部の色を変化させる。これにより、正しく通信が行われている時は画面の一部の色が定期的に変化するので、モバイル端末１１操作者は、この色の変化により正常な通信状態であるかを判断することができる。
図４は、モバイル端末でデータリフレッシュ時に、通信状態が正しく行われているかを示すフローである。図中右側はタグデータ表示部４１の表示状態を示している。
図４のフローチャートにおいて、データリフレッシュ処理が開始され（４０１）、タグデータの取得要求が行なわれ、無線ＬＡＮを介してヒューマンインタフェース１５でタグデータへのアクセスが実行され、その結果、ヒューマンインタフェース１５から清浄データが受信される（４０２）。
正常データが受信されると、タグデータ表示部４１の通信状態領域４１ａの色を変更させる（４０３）と共にタグデータを変更させる（４０４）。すなわち、正しくデータ取得が行われた場合は、図示のように、モバイル端末上１１のタグデータ表示部４１のデータ（バーグラフ、数値表示など）を更新すると共に、通信状態領域４１ａの色替えを実施する。モバイル端末使用者は、この領域４１ａが絶えず色替わりしていると、通信が正しく行われていることを判断できる。
また、ヒューマンインタフェース１５はシステム規模により複数台設置する場合がある。このような場合には、モバイル端末１１の通信相手となるヒューマンインタフェース（ゲートウエイトして機能する）が停止した時に、他のヒューマンインタフェースと通信を再開させるように構成する。このような構成により、モバイル端末１１と監視制御装置１３とのゲートウェイ機能を２重化される。
図５は、モバイル端末１１が、データのアクセス要求（タグ検索、タグデータのＲｅａｄ／Ｗｒｉｔｅ）を通信するヒューマンインタフェース１５を切換える処理を示している。
図５のフローチャートにおいて、初期化時（５０１）には、プラント監視制御装置１３の中から１つヒューマンインタフェース１５を選択し、それを通信相手として設定し（５０２）、データアクセス要求の送信と応答の受信を行う（５０３）（５０４）。ヒューマンインタフェースに障害が発生しダウンした場合には、ヒューマンインタフェース１５からは応答が返らなくなり、正しくデータを受信できなくなる（５０５）。このときには、プラント監視制御装置１３の中から他のヒューマンインタフェース１５を選択し、それを新たな通信相手として設定し動作を継続させる（５０６）。
【００２７】
このように、モバイル端末１１上のタグ検索操作、データ表示、データ設定、データ設定時の操作レベルの設定などの処理を、ヒューマンインタフェース１５上で受け付け処理させることにより、モバイル端末１１にヒューマンインタフェース１５と同様の管理をさせることができる。したがって、モバイル端末１１上でのタグ検索操作、データ表示、データ設定のために特別な登録を必要とせず、プラント監視制御装置側で実施されたタグの追加、削除といった変更処理に追従することができ、エンジニアリング効率が向上する。また、モバイル端末１１からの要求をヒューマンインタフェース１５で処理する為、モバイル端末１１用に特別なゲートウェイを設置する必要もなく、コストを低く抑えることが可能となる。
【００２８】
【発明の効果】
本発明によれば、プラント監視制御装置側とモバイル端末側とでデータの不一致か生じることのないプラント監視制御システムが得られる。また、モバイル端末側のデータに対する操作も操作履歴用データベースに保存できる。また、無線による通信状態の確かさを表示でき、さらに、ゲートウエイダウン時のバックアップも可能となる。
【図面の簡単な説明】
【図１】本発明のプラント監視制御システムの一実施の形態を示すシステム構成図である。
【図２】同上一実施の形態におけるヒューマンインタフェース部分における機能を説明する機能ブロック図である。
【図３】同上一実施の形態におけるヒューマンインタフェースとモバイル端末との関係を説明する機能ブロック図である。
【図４】同上一実施の形態における通信状態を表示する手順を説明するフローチャートである。
【図５】同上一実施の形態におけるヒューマンインタフェース切替え手順を説明するフローチャートである。
【符号の説明】
１１    モバイル端末
１２    プラント
１３    プラント監視制御装置
１４    コントローラ
１５    ヒューマンインタフェース
１６    無線基地局
２２    データ検索処理手段
２５    データアクセス処理手段
３１    モバイル端末要求処理手段
３４    画面表示処理手段
３６    ネットワーク処理手段
【図１】
2004157824.tif 000003
【図２】
2004157824.tif 000004
【図３】
2004157824.tif 000005
【図４】
2004157824.tif 000006
【図５】
2004157824.tif 000007